(57)【要約】 【課題】番組延長に伴う複数の延長パターン候補に対応する番組送出データの追加が容易かつ、記憶容量が少なく効率的編集が可能なＡＰＣ（自動番組送出制御システム）、及び自動番組送出制御方法を提供する。【解決手段】延長パターン候補の各番組送出制御データＡ１〜Ａ３に番組の開始時刻と番組名とのペアになったパターンタイトルＴ１〜パターンタイトルＴ３とが記されただけのファイルにし、操作部１６から延長パターンを指定されると送出制御部１５は、定時パターンタイトルＴ０に続く番組送出制御データＡ０読み出し、制御項目はそのままとして、実行タイミングをその延長時間シフトして再編集した番組送出制御データＡ１を局内時計Ｔを参照して実行する。【選択図】  図３
2014233049.tif 000002
【特許請求の範囲】
【請求項１】
営放サーバから入力される番組編成データに従い、局内時計を参照して予定された放送時刻に所定の番組のコンテンツを、放送機器から送信機に向けて自動的に送出させるＡＰＣ（自動番組送出制御システム）において、
前記営放サーバと、前記放送機器と、情報編集手段と、送出制御手段と、操作部との間を通信接続し、前記番組のコンテンツの自動送出に係わる制御情報を伝送するネットワークと、
各前記番組のコンテンツとそのコンテンツ送出に係わる前記放送機器とを対応付けた装置対応リストにして記憶するコンテンツ・装置データベースにアクセスして前記入力される番組編成データと前記装置対応リストとを参照することにより番組毎のコンテンツ送出に係わる放送機器を制御する制御手順を実施するタイミングを時系列に並べた時系列リストを生成し、
更に番組名とその番組の開始時刻とを組にしたタイトルを番組識別子としてその時系列リストの先頭に記述した番組送出制御データに編集して記憶手段に書込み保存する情報編集手段と、
前記局内時計を参照しつつ、前記記憶手段から読出した前記番組送出制御データに指定されたタイミングでその制御手順を実施する制御を行なう送出制御手段と、
前記ＯＡデータの編集に係わるデータ、情報、コマンドを前記情報編集手段および前記送出制御手段との間で入出力する操作部とを備え、
前記情報編集手段は、
前記入力された番組編成データが本来の放送予定時刻に放送されるものである場合、前記タイトルを定時パターン用とし、
前記入力された番組編成データが、当該番組に先立つ番組の放送時間が延長される場合に備えて、前記定時パターン用と同じコンテンツの番組の開始時刻が前記延長される分シフトして放送されるものである場合、前記定時パターン用のタイトルの番組の開始時刻をシフト後の開始時刻に変更した延長パターン用のタイトルとして、それに続く前記時系列リストを省略して延長パターン用の番組送出制御データを生成して、前記記憶装置に書込み保存し、
前記送出制御手段は、延長指示のコマンドを受信しない場合、前記定時パターン用のタイトルが付与された番組送出制御データの実施タイミングで制御手順を実施し、前記操作部から前記番組の延長指示のコマンドを受信した場合、その指示された延長パターン用および、前記定時パターン用のタイトルが付与された番組送出制御データを読み出して前記定時パターンの番組送出制御データの制御手順の実施タイミングを指示された延長分だけシフトして書き替える再編集をして制御手順を実施する制御を行なう
ことを特徴とするＡＰＣシステム。
【請求項２】
営放サーバから入力される番組編成データに従い、局内時計を参照して予定された放送時刻に所定の番組のコンテンツを、放送機器から送信機に向けて自動的に送出するＡＰＣ（自動番組送出制御システム）において、
前記営放サーバと、前記放送機器と、情報編集手段と、送出制御手段と、操作部との間を通信接続し、前記番組のコンテンツの自動送出に係わる制御情報を伝送するネットワークと、
各前記番組のコンテンツとそのコンテンツ送出に係わる前記放送機器とを対応付けた装置対応リストにして記憶するコンテンツ・装置データベースにアクセスして前記入力される番組編成データと前記装置対応リストとを参照することにより番組毎のコンテンツ送出に係わる放送機器を制御する制御手順を実施するタイミングを時系列に並べた時系列リストを生成し、
更に番組名とその番組の開始時刻とを組にしたタイトルを番組識別子としてその時系列リストの先頭に記述した番組送出制御データに編集して記憶手段に書込み保存する情報編集手段と、
前記局内時計を参照しつつ、前記記憶手段から読み出した前記番組送出制御データに指定されたタイミングでその制御手順を実施する制御を行なう送出制御手段と
前記ＯＡデータの編集に係わるデータ、情報、コマンドを情報編集手段および前記送出制御手段との間で入出力する操作部とを備え、
前記情報編集手段は、
前記入力された番組編成データが本来の予定時刻に放送されるものである場合、前記タイトルを定時パターン用とし、
前記入力された番組編成データが、当該番組に先立つ放送時間が延長される場合に備えて、前記定時パターン用と同じコンテンツの番組の開始時刻が前記延長される分シフトして放送されるものである場合、延長される番組の開始時刻をシフト後の開始時刻に変更するとともに非実行であることと示す記号を付与した延長パターン用のタイトルを生成して前記定時パターン用のタイトルに並べて追記した番組送出制御データに再編集して前記記憶手段に書込み保存し、
前記送出制御手段は、延長指示のコマンドを受信しない場合、前記定時パターン用のタイトルが付与された前記番組送出制御データの実施タイミングで制御手順を実施し、
前記操作部から前記番組の延長指示のコマンドを受信した場合、前記番組送出制御データを読み出し、その延長分に対応する前記延長パターン用のタイトルに前記付与された非実行を示す記号を削除し、前記定時パターンのタイトルに非実行を示す記号を書き加える変更を行い、前記定時パターン用の番組送出制御データの制御手順の実行タイミングを延長分だけシフトして書き替える再編集をして動作手順を実施する制御を行なうことを特徴とするＡＰＣシステム。
【請求項３】
ネットワークと、情報編集手段と、送出制御手段とを備え、
局内時計を参照して営放サーバから入力される番組編成データに従って、予定された放送時刻に所定の番組のコンテンツを、そのコンテンツに係わる放送機器から送信機に向けて自動的に送出させるＡＰＣの番組送出制御方法において、
前記ネットワークは、
前記営放サーバと、前記放送機器と前記情報編集手段と、送出制御手段との間で前記番組のコンテンツの自動送出に係わる制御情報を伝送し、
前記情報編集手段は、
前記入力される番組編成データと、予め準備された前記番組のコンテンツそれぞれとそのコンテンツ送出に係わる前記放送機器とを対応付けたコンテンツ・装置対応リストとを参照することにより番組毎のコンテンツ送出に係わる放送機器を制御する制御手順を実施するタイミングを時系列に並べた時系列リストを生成し、
更に番組名とその番組の開始時刻とを組にしたタイトルを番組識別子としてその時系列リストの先頭に記述した番組送出制御データに編集して記憶手段に書込み保存し、
前記入力された番組編成データが本来の放送予定時刻に放送されるものである場合、前記タイトルを定時パターン用とし、
前記入力された番組編成データが、当該番組に先立つ番組の放送時間が延長される場合に備えて、前記定時パターン用と同じコンテンツの番組の開始時刻が前記延長される分シフトして放送されるものである場合、前記定時パターン用のタイトルの番組の開始時刻をシフト後の開始時刻に変更した延長パターン用のタイトルとして、それに続く前記時系列リストを省略した延長用の番組送出制御データを生成して前記記憶手段に書込み保存し、
前記局内時計を参照しつつ、前記記憶手段から読み出した前記番組送出制御データに指定されたタイミングでその制御手順を実施する送出制御手段は、
前記放送時間の延長指示がない場合、前記定時パターン用のタイトルが付与された番組送出制御データの実施タイミングで制御手順を実施し、
前記放送時間の延長指示を前記ネットワークを介して受けた場合、その指示された延長パターン用および、前記定時パターン用のタイトルが付与された番組送出制御データを前記記憶手段から読み出し、前記定時パターン用の番組送出制御データの制御手順の実行タイミングを延長分だけシフトして書き替える再編集をして制御手順を実施する制御を行なうことを特徴とするＡＰＣの番組送出制御方法。
【請求項４】
ネットワークと、情報編集手段と、送出制御手段とを備え、
局内時計を参照して営放サーバから入力される番組編成データに従って、予定された放送時刻に所定の番組のコンテンツを、そのコンテンツに係わる放送機器から送信機に向けて自動的に送出させるＡＰＣの番組送出制御方法において、
前記ネットワークは、
前記営放サーバと、前記放送機器と前記情報編集手段と、送出制御手段との間で前記番組のコンテンツの自動送出に係わる制御情報を伝送し、
前記情報編集手段は、
前記入力される番組編成データと、予め準備された前記番組のコンテンツそれぞれとそのコンテンツ送出に係わる前記放送機器とを対応付けたコンテンツ・装置対応リストとを参照することにより番組毎のコンテンツ送出に係わる放送機器を制御する制御手順を実施するタイミングを時系列に並べた時系列リストを生成し、
更に番組名とその番組の開始時刻とを組にしたタイトルを番組識別子としてその時系列リストの先頭に記述した番組送出制御データに編集して記憶手段に書込み保存し、
前記入力された番組編成データが本来の放送予定時刻に放送されるものである場合、前記タイトルを定時パターン用とし、
前記入力された番組編成データが、当該番組に先立つ番組の放送時間が延長される場合に備えて、前記定時パターン用と同じコンテンツの番組の開始時刻が前記延長分シフトして放送されるものである場合、前記定時パターン用のタイトルの番組の開始時刻をシフト後の開始時刻に変更するとともに非実行であることと示す記号を付与した延長パターン用のタイトルを生成して前記定時パターン用のタイトルに並べて追記した番組送出制御データに再編集して前記記憶手段に上書き保存し、
前記局内時計を参照しつつ、前記記憶手段から読み出した前記番組送出制御データに指定されたタイミングでその制御手順を実施する前記送出制御手段は、前記放送時間の延長指示のコマンドを受信しない場合、前記定時パターン用のタイトルが付与された番組送出制御データの実施タイミングで制御手順を実施し、
前記放送時間の延長の指示を前記ネットワークを介して受信した場合、前記番組送出制御データを読み出し、その指示された延長に対応する前記延長パターン用のタイトルの非実行を示す記号を削除し、前記定時パターンのタイトルに非実行を示す記号を書き加える変更を行い、前記定時パターン用の番組送出制御データの制御手順の実行タイミングを延長分だけシフトして書き替える再編集をして制御手順を実施する制御を行なうことを特徴とするＡＰＣの番組送出制御方法。
【発明の詳細な説明】
【技術分野】
【０００１】
本発明の実施形態は、放送局の放送機器から自動番組送出を行う自動番組送出制御システムおよび番組送出制御方法に関する。
【背景技術】
【０００２】
放送局は、放送番組時刻表に従って各種の番組コンテンツをそれぞれのコンテンツを送出する放送機器から送信機へ向けて出力する。番組送出は、ＡＰＣ（自動番組送出制御システム）により予定されたコンテンツを送出するタイミングスケジュールに従って多くの放送機器群から自動的にコンテンツが送信機へ向けて出力される。
【０００３】
図６は、従来の放送局のＡＰＣ（自動番組送出制御システム）の動作を説明する機能ブロック図、図７は、従来の自動番組送出システムの中で授受される編成データの処理概念を説明する概念図である。
【０００４】
図６において、放送局は、放送に先立ち、番組時刻表に従ったコンテンツの送出スケジュールを示す番組編成データａ０が営放サーバＱからネットワークＤＢを介してＤＳ（Data  Server：データサーバ）１００へ提供される。ＤＳ１００は、この編成データａ０で指定されたコンテンツを出力する放送機器群ＣＧに属するそれぞれの放送機器を管理するＳＣＰ（Schedule  Control  Processor）１ｘへ当該機器の制御に係わるＯＡデータｄ０をネットワークＤＢにより転送する。ネットワークＤＢは、ＡＰＣ９０に収容される放送機器群ＣＧとＳＣＰ１ｘとの間を接続して自動番組送出に係わる制御データを伝送する制御信号伝送網である。
【０００５】
ＳＣＰ１ｘは、放送（オンエア）タイミングに先がけてＤＳ１００から転送されたＯＡデータを受信、記憶し、放送機器群ＣＧ、例えばビデオサーバやスイッチャ等の動作開始・停止や切替を制御する信号を介してネットワークＤＢを各放送機器へ送信する。ＳＣＰ１ｘは、転送されたＯＡデータから更に放送機器の動作制御を行うタイミングに並べられた番組送出制御データＡ０を生成し、局内時計Ｔを参照しながらコンテンツ送出タイミング前に各放送機器へネットワークＤＢにより配信して各放送機器の起動、スタンバイ、動作、停止の動作制御を行なう。
【０００６】
放送局では、スポーツ中継番組の様な放送時間が延長される場合に備えて予め、幾つかのパターン化した放送番組スケジュールが準備される。営放サーバＱからＤＳ１００へ延長に備え、番組編成候補として、延長時間と対応して複数の番組が組合せられ、延長パターンとなる番組編成データが入力される。
【０００７】
図８は、番組延長に備えて幾つかのパターンが準備された状態を示す番組パターン概念図、図９は、従来のＡＰＣにおける複数のパターンに備えて準備されるＯＡデータと番組送出制御データとの概念を説明する概念図である。
【０００８】
図９では、予定の放送スケジュールの定時パターン番組編成データと１０分、２０分、３０分延長に対応する各パターンの番組編成データにおける「ＯＯの冒険」のそれぞれのＯＡデータｄ０、ｄ１、ｄ２、ｄ３、番組送出制御データＡ０、Ａ１、Ａ２、Ａ３が示されている。
【０００９】
この番組編成データａ０と、ＯＡデータｄ０と、番組送出制御データＡ０とは、同じパターン（延長時間）のデータとして紐付けられている。番組延長が無い場合は定時パターンの番組編成に従って、ＳＣＰ１ｘは局内時計Ｔを参照して番組送出データＡ０に示されるタイミングで放送機器の動作制御を行う。
【００１０】
また、オペレータにより操作部１６から何分延長（シフト）するかの延長パターンを選択するコマンドが入力されると、ＤＳ１００とＳＣｐ１ｘは、その指定されたパターン（例えば１０分延長であれば、ＯＡデータｄ１、番組送出制御データＡ１のデータに基づき各放送機器の動作を制御する。
【００１１】
この様な複数の延長パターンに対して、同じ番組に対してそれぞれ延長時間に対応してＯＡデータや番組送出制御データを準備して、ＳＣＰ１ｘに番組送出制御データを記憶させるべくオペレータが操作部１６からコマンドを入力する編集作業をする必要が有った。
【００１２】
これを改善するため、タイミングが違うだけの同じ制御手順（ＯＡデータ、番組送出制御データ）を複数のパターンに対応してタイムシフト入力させる方法が導入されている。しかし、この場合でもＤＳ１００やＳＣＰ１ｘの記憶装置（図示せず。）に書き込み記憶させるため記憶、保存する番組送出制御データ量が大きくなる問題があった。
【先行技術文献】
【特許文献】
【００１３】
【特許文献１】特開２００９−１５９５２９号公報
【発明の概要】
【発明が解決しようとする課題】
【００１４】
従来の放送局のＡＰＣ（自動番組送出制御システム）では、番組延長に備え、複数の番組延長パターンを準備するため、記憶データ量が大きくなる問題があった。
【００１５】
本発明が解決しようとする課題は、番組延長に伴う複数の延長パターン候補に対応する番組送出データの追加が容易かつ、記憶容量を少なくして効率的編集が可能なＡＰＣ（自動番組送出制御システム）、及び自動番組送出制御方法を提供することである。
【課題を解決するための手段】
【００１６】
上記目的を達成するために、本実施形態のＡＰＣシステムは、営放サーバから入力される番組編成データに従い、局内時計を参照して予定された放送時刻に所定の番組のコンテンツを、放送機器から送信機に向けて自動的に送出させるＡＰＣ（自動番組送出制御システム）において、前記営放サーバと、前記放送機器と、情報編集手段と、送出制御手段と、操作部との間を通信接続し、前記番組のコンテンツの自動送出に係わる制御情報を伝送するネットワークと、各前記番組のコンテンツとそのコンテンツ送出に係わる前記放送機器とを対応付けた装置対応リストにして記憶するコンテンツ・装置データベースにアクセスして前記入力される番組編成データと前記装置対応リストとを参照することにより番組毎のコンテンツ送出に係わる放送機器を制御する制御手順を実施するタイミングを時系列に並べた時系列リストを生成し、更に番組名とその番組の開始時刻とを組にしたタイトルを番組識別子としてその時系列リストの先頭に記述した番組送出制御データに編集して記憶手段に書込み保存する情報編集手段と、前記局内時計を参照しつつ、前記記憶手段から読出した前記番組送出制御データに指定されたタイミングでその制御手順を実施する制御を行なう送出制御手段と、前記ＯＡデータの編集に係わるデータ、情報、コマンドを前記情報編集手段および前記送出制御手段との間で入出力する操作部とを備え、前記情報編集手段は、前記入力された番組編成データが本来の放送予定時刻に放送されるものである場合、前記タイトルを定時パターン用とし、前記入力された番組編成データが、当該番組に先立つ番組の放送時間が延長される場合に備えて、前記定時パターン用と同じコンテンツの番組の開始時刻が前記延長される分シフトして放送されるものである場合、前記定時パターン用のタイトルの番組の開始時刻をシフト後の開始時刻に変更した延長パターン用のタイトルとして、それに続く前記時系列リストを省略して延長パターン用の番組送出制御データを生成して、前記記憶装置に書込み保存し、前記送出制御手段は、延長指示のコマンドを受信しない場合、前記定時パターン用のタイトルが付与された番組送出制御データの実施タイミングで制御手順を実施し、前記操作部から前記番組の延長指示のコマンドを受信した場合、その指示された延長パターン用および、前記定時パターン用のタイトルが付与された番組送出制御データを読み出して前記定時パターンの番組送出制御データの制御手順の実施タイミングを指示された延長分だけシフトして書き替える再編集をして制御手順を実施する制御を行なうことを特徴とする。
【００１７】
また、本実施形態のＡＰＣの番組送出制御方法は、ネットワークと、情報編集手段と、送出制御手段とを備え、局内時計を参照して営放サーバから入力される番組編成データに従って、予定された放送時刻に所定の番組のコンテンツを、そのコンテンツに係わる放送機器から送信機に向けて自動的に送出させるＡＰＣの番組送出制御方法において、前記ネットワークは、前記営放サーバと、前記放送機器と前記情報編集手段と、送出制御手段との間で前記番組のコンテンツの自動送出に係わる制御情報を伝送し、前記情報編集手段は、前記入力される番組編成データと、予め準備された前記番組のコンテンツそれぞれとそのコンテンツ送出に係わる前記放送機器とを対応付けたコンテンツ・装置対応リストとを参照することにより番組毎のコンテンツ送出に係わる放送機器を制御する制御手順を実施するタイミングを時系列に並べた時系列リストを生成し、更に番組名とその番組の開始時刻とを組にしたタイトルを番組識別子としてその時系列リストの先頭に記述した番組送出制御データに編集して記憶手段に書込み保存し、前記入力された番組編成データが本来の放送予定時刻に放送されるものである場合、前記タイトルを定時パターン用とし、前記入力された番組編成データが、当該番組に先立つ番組の放送時間が延長される場合に備えて、前記定時パターン用と同じコンテンツの番組の開始時刻が前記延長される分シフトして放送されるものである場合、前記定時パターン用のタイトルの番組の開始時刻をシフト後の開始時刻に変更した延長パターン用のタイトルとして、それに続く前記時系列リストを省略した延長用の番組送出制御データを生成して前記記憶手段に書込み保存し、前記局内時計を参照しつつ、前記記憶手段から読み出した前記番組送出制御データに指定されたタイミングでその制御手順を実施する送出制御手段は、前記放送時間の延長指示がない場合、前記定時パターン用のタイトルが付与された番組送出制御データの実施タイミングで制御手順を実施し、前記放送時間の延長指示を前記ネットワークを介して受けた場合、その指示された延長パターン用および、前記定時パターン用のタイトルが付与された番組送出制御データを前記記憶手段から読み出し、前記定時パターン用の番組送出制御データの制御手順の実行タイミングを延長分だけシフトして書き替える再編集をして制御手順を実施する制御を行なうことを特徴とする。
【図面の簡単な説明】
【００１８】
【図１】本実施形態に係わるＡＰＣ（自動番組送出制御システム）の動作を説明するための機能ブロック図である。
【図２】本実施形態のＡＰＣにおける番組延長対応時の番組送出制御手順を説明するフローチャートである。
【図３】本実施形態のＡＰＣの自動番組送出制御に係わる番組編成データを説明する概念図である。
【図４】本実施形態の自動番組送出制御システムの変形例における番組延長対応時の番組送出制御手順を説明するフローチャートである。
【図５】本実施形態のＡＰＣの変形例における自動番組送出に係わる番組編成データを説明する概念図である。
【図６】従来の放送局のＡＰＣ（自動番組送出制御システム）の動作を説明する機能ブロック図である。
【図７】従来の自動番組送出システムの中で授受される編成データの処理概念を説明する概念図である。
【図８】従来のＡＰＣ（自動番組送出システム）で番組延長に備えて幾つかのパターンが準備された状態を示す番組パターン概念図である。
【図９】従来のＡＰＣで複数の延長パターンに備えて準備されるＯＡデータと番組送出制御データとの概念を説明する概念図である。
【発明を実施するための形態】
【００１９】
以下実施形態のＡＰＣの動作を図面を参照して説明する。
【００２０】
図１は、本実施形態に係わるＡＰＣの動作を説明するための機能ブロック図、図２は、本実施形態の自動番組送出制御システムにおける番組延長対応時の番組送出制御手順を説明するフローチャートである。  
図１において、本実施形態のＡＰＣ９は、ネットワークＤＢを介して営放サーバＱから番組編成データを受信するＤＳ（データサーバ）１０と、ＤＳ１０にコマンドやデータを入力する操作部１６と、ＳＣＰ（Sequence  Control Processor）1とを備える。ＳＣＰ１は、局内時計Ｔを参照して番組送出制御データをネットワークＤＢを介して放送機器群ＣＧに送信し、番組コンテンツを所要の放送時刻（タイミング）にオンエアするために送出する制御を行なう。
【００２１】
ＤＳ（データサーバ）１０は、編成管理部１１と、記憶装置１４とを備え、記憶装置１４は、番組編成データに示されるコンテンツがどの装置から送出されるかの対応を予めリストにしたコンテンツ・装置ＤＢ（データベース）１２と、編成管理部１１が、番組編成データから生成した各放送機器を制御するイベントを時系列にリストにしたＯＡデータ（ｄ０、ｄ１・・・）とを記憶保存している。
【００２２】
編成管理部１１は営放サーバＱから入力される番組編成データをコンテンツ・装置ＤＢ（データベース）１２と参照し、どの放送機器をどのタイミングで動作、停止をさせるかのイベントを時系列に編集したＯＡデータ（定時パターンではｄ０。）を生成し、記憶装置１４に書き込み記憶する。
【００２３】
このＯＡデータは更にオンエアタイミングに先立ち、ＳＣＰ１へネットワークＤＢを介して転送される。ＳＣＰ１の送出制御部１５は、受信したＯＡデータを更に番組毎にコンテンツ送出に係わる各放送機器の細部の動作手順をリストにする編集を行う。そして、詳細な動作手順の時系列のリストである番組送出制御データ（定時パターンではＡ０。）として内部記憶装置が記憶している制御タイミングリストＴＬに書き込み保存（記憶）する（図２ステップｓ１）。
【００２４】
図３は、番組延長対応時の番組編成データ、ＯＡデータ、番組送出制御データの内容を説明するデータ説明図である。
【００２５】
図３（ａ）では放送時刻と番組名（コンテンツ名称）とが記された本来の予定スケジュール番組時刻表である定時パターンの番組編成データ（図３のａ０）が営放システムＱからＤＳ１０へ入力される。図３（ｂ）は、この提示パターンの番組編成データのうち、天気予報とアニメ番組「ｏｏの冒険」とのＯＡデータｄ０の一部が記載されている。
【００２６】
図３（ｃ）は、更に「ｏｏの冒険」の番組送出制御データＡ０の抜粋が記載されている。この定時パターンについての番組制御データが編集生成される所までは従来のＡＰＣと同様の編集処理手順と同じである。
【００２７】
さて、スポーツ中継などでは、放送時間延長に備え、予め幾つかの延長パターンの候補が図３（ａ）、図８の様に準備されて営放システムＱから番組編成データ（ここでは、１０分、２０分、３０分）が入力される（図３のＩｎ１）。
【００２８】
なお、この候補である延長パターンについては営放サーバＱから入力される番組編成データに候補であることを示す識別子が付与されているので、番組時刻表通り（定時パターン）の番組編成データか、それとも候補用であるかが編成管理部１１で判読可能になっている。
【００２９】
更に、ＤＳ１０で番組単位で各延長パターンを作成する場合には、操作部１６からこの識別子が各番組のＯＡデータ、番組送出制御データに付与される処理が行なわれるので編成管理部１１で判読可能になっている。
【００３０】
従来は、それぞれの延長パターンについて、図９の様に延長番組の後続番組が同じ番組構成（組合せ）で、番組の開始時刻がシフトするだけであっても、全イベントに対して開始時刻のシフト処理を行なう編集が行なわれる。つまり、番組の開始時刻シフトコマンドを入力するなどの方法で、候補それぞれの延長パターンのＯＡデータ及び番組送出制御データに対して、制御実行タイミングが延長訂正される追加編集が行なわれて、これらの候補を含めた全データのファイルが記憶保存される。
【００３１】
これに対して本実施形態では、ＳＣＰ１の送出制御部１５が、延長パターンに対しては、ＯＡデータ及び番組送出制御データを延長パターン毎に訂正する編集は行なわない。その代わりに図３（ｂ）、図３（ｃ）の様に番組の開始時刻と、その番組名（番組コンテンツの識別情報、タイトル）とを組にしたタイトル（例えば、１０分延長の場合、アニメ番組について「２０：５０〜ｏｏの冒険」Ｔ０を「２１：１０〜ｏｏの冒険」Ｔ１に）だけ変更し、他の番組についてもＯＡデータ及び番組送出制御データのパターンタイトルＴ１としてだけ変更して記憶する（ステップｓ２）。
【００３２】
これらの延長パターンとそれに対応して番組（コンテンツ）のＯＡデータ及び番組送出制御データは紐付けられていることは従来と同様である。
【００３３】
この様にしてデフォルトとして定時パターンと、延長放送候補としての延長パターンとが制御タイミングリストＴＬに書き込み記憶されて番組の自動送出が実行される。
【００３４】
もしスポーツ中継が長引かず予定通りの時間枠で放送される場合（ステップｓ３がＮｏの場合）、送出制御部１５は、定時パターンタイトルが付いている番組送出制御データを対象となる各放送機器に対してネットワークＤＢを介して送信し、番組送出制御データの実行を継続する。
【００３５】
一方、スポーツ中継が長引き、１０分間延長する「ＥＸＴ１０」の様な延長コマンドが操作部１６から入力される（図２のＩｎ２）、（ステップｓ３がＹｅｓの場合）、送出制御部１５は、ネットワークＤＢを介して延長コマンドを受信し、延長が１０分パターンのパターンタイトルＴ１が付与された番組送出制御データＡ１のファイルを制御タイミングリストＴＬから読みこむ。
【００３６】
図３（ａ）では、定時パターンの２１：００から１０分シフトした２１：１０に番組「アニメＯＯの冒険」が放送されることが示されている。図３（ｂ）では、定時パターンでは２１：００に番組タイトル「ＯＯの冒険」が放送機器「ＶＡＦ＃２」から出力され、２１：０１から「Ａ社広告」がＣＭバンク「ＣＢｃｍａ１」が出力される、等々の手順が、番組「アニメＯＯの冒険」の送信に係わるＯＡデータｄ０として編集されてＤＳ１０からＳＣＰ１へ転送されることが示されている。
【００３７】
しかし、延長パターンでは、ＯＡデータには、番組の開始時刻（タイミング）と、番組名称「アニメＯＯの冒険」との組になったパターンタイトルＴ１〜パターンタイトルＴ３が書かれているのみで、従来の様にタイトル部分に続く制御手順は書かれていない。なお、以下ではこのオンエアに係わる制御手順でＯＡデータに記載される各放送機器のそれぞれの動作を総称してイベントデータと呼ぶ。
【００３８】
図３（ｃ）では、定時パターンのＯＡデータｄ０に基づいてＤＳ１０からＳＣＰ１に対して出力される更に詳細に全放送機器を合わせて時系列にリスト化された制御手順が番組送出制御テーブルＡ０として示されている。
【００３９】
ここでは、「２０：５９：３０」に「ビデオサーバーＡ」と「ＣＭバンクＢ」とがスリープ状態から起動され、「２１：５９：５０」には、コンテンツが送出可能になる様に関連する放送機器へ送信する制御手順、更にそれに続いての各放送機器への制御手順が実施タイミングとともに記載されている。
【００４０】
しかし、延長パターンについては、ＯＡデータ（本来であれば、ＯＡデータｄ１〜ＯＡデータｄ３）および、番組送出制御データＡ１〜番組送出制御データＡ３は、番組の開始時刻と、番組名称のペアになったパターンタイトルＴ１〜パターンタイトルＴ３が記されただけのファイルになっているだけである。
【００４１】
ここで図２のフローチャートへ戻る。１０分間延長する「ＥＸＴ１０」の様な延長コマンドが操作部１６から入力されると（図２のＩｎ２）、（ステップｓ３がＹｅｓの場合）。ＤＳ１０は、この延長コマンドをＳＣＰ１に転送する。
【００４２】
ＳＣＰ１の送出制御部１５は、コマンドを解読して延長が１０分パターンのタイトルＴ１のタイトルが付与された番組送出制御データＡ１のファイルと、定時パターンのタイトルＴ０に続く番組送出制御データＡ０とを制御タイミングリストＴＬから読みこむ（ステップｓ５）。
【００４３】
送出制御部１５は、１０分パターンタイトルＴ１のファイルの「番組の開始時刻２１：００」「ｏｏの冒険」を読出すがこれに続く番組送出制御データは前述の通り未記入の空欄である。
【００４４】
ところが、延長される場合でも、同じ名前の番組（コンテンツ）では、定時パターンと、動作時刻（タイミング）が延長パターン分（ここでは１０分）シフトする）だけであり、送出されるコンテンツ自体、およびコンテンツ送出に係わり制御される機材は、定時パターンと同一である。
【００４５】
従って、送出制御部１５は、延長コマンドを受信した場合、定時パターンのタイトルＴ０のファイルを読み込みながら、制御項目はそのままとして実行タイミングをコマンドで指定された延長分（ここでは１０分）シフトさせる。
【００４６】
一例として、「20:59:30   ヒ゛テ゛オサーハ゛A起動(ON)：CMハ゛ンクB起動(ON)・・・」を１０分後にシフトさせて「21:09:30   ヒ゛テ゛オサーハ゛A起動(ON)：CMハ゛ンクB起動(ON)・・・」の様に書換えて番組送出制御データを再編集し（ステップｓ６）、番組送出制御データＡ１として制御タイミングリストＴＬに上書き記憶保存する。
【００４７】
上書き保存後、送出制御部１５は、局内時計Ｔを参照し、延長パターンに従って番組放送開始前に番組送出制御データＡ１で指定された放送機器に所要の制御手順を実施するデータを送信し、番組送出制御データＡ１で指定されたタイミングで制御手順を実施する（ステップｓ７）。
【００４８】
以上説明したとおり、本実施形態では延長パターンに対しては、パターンタイトルのみを記述し、制御手順は記述しない番組送出制御データを準備し、延長指示が有った場合に定時パターンの制御手順の実施タイミングをシフトして実施するのでデータ記憶容量が少なく、効率的な運用可能なＡＰＣ、及び番組送出制御方法を提供することが出来る。
【００４９】
図４は、本実施形態の変形例のＯＡデータ、および番組送出制御データの形式を説明する概念図、図５は、その変形例における制御手順を説明するフローチャートである。  
上記の実施形態では、延長する場合に備えて候補となる延長パターンそれぞれにパターンタイトルを付与してデータが空のファイルを準備する。変形例は、候補となる延長パターンのパターンタイトルを「非実行」と指定として番組送出制御データに定時パターンタイトルに併記したファイルを一つだけ作成する。そして、延長指定されたとき、定時パターンを「非実行」に変更し、該当する延長パターンのファイルを「実行」と変更するとともに、定時パターンの制御動作実行タイミングを延長分シフトさせる書換えを行うものである。
【００５０】
図４において、変形例において、ＯＡデータ、および番組送出制御データに、延長パターンタイトルに延長した場合の番組の開始時刻と番組名とを示すパターンタイトルを無効「非実行」であることを示す記号（ここでは、「＄」とする。）を付記して書き加えた状態を示している。図５のフローチャートは、図２と基本的には同じであり、処理が変更される部分のステップ番号を変更している。
【００５１】
すなわち、延長パターンの編成データが入力されると（図５のＩ１）、ＯＡデータ、番組送出制御データの先頭に定時パターンのパターンタイトルＴ０に続いて、延長パターンの番組の開始時刻と番組名との組合せのパターンタイトルＴ１〜パターンタイトルＴ３が「＄」が付記されて追加記載される（ステップｓ２１）。
【００５２】
番組延長が無い場合、これら延長パターンタイトルは「＄」が付いているのでその時刻が来ても「非実行」であり、定時パターンのタイミング通りに各番組が送出（オンエア）される（ステップｓ４）。
【００５３】
一方、操作部１６から延長コマンド（例えば、１０分延長のＥＸＴ１０）が入力される（図５のＩ２）と、送出制御部１５は、１０分延長のパターンタイトルＴ１に付記された「＄」を削除することにより１０分延長する「実行」に変更し、代わりに定時パターンのパターンタイトルＴ０に「＄」を付記して「非実行」に変更する（ステップｓ５１）。
【００５４】
送出制御部１５は、続いて定時パターンの番組送出制御データＡ０の制御タイミングを延長分の１０分だけシフトして（遅らせて）再編集し、（ステップｓ６１）番組送出制御データＡ１として制御タイミングリストＴＬに上書き記憶保存する。上書き保存後、送出制御部１５は、図２のフローチャートに示されるのと同様に局内時計Ｔを参照し、１０分延長パターンの番組送出制御データを実行する（ステップｓ７）。
【００５５】
この変形例は、図３に示される方法よりもファイル数を少なくして同様の効果を得られるので、ファイル管理処理に掛かる時間を短くする効果が有る。
【００５６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１  ＳＣＰ
１０  ＤＳ（データサーバ）
１１  編成管理部
１２  コンテンツ・装置ＤＢ
１４  記憶装置
１５  送出制御部
１６  操作部
９  ＡＰＣ
ＣＧ  放送機器群
ＤＢ  ネットワーク
Ｑ  営放サーバ
Ｔ  局内時計
ＴＬ  制御タイミングリスト
ｄ０、ｄ１、・・・  ＯＡデータ
【図１】
2014233049.tif 000003
【図２】
2014233049.tif 000004
【図３】
2014233049.tif 000005
【図４】
2014233049.tif 000006
【図５】
2014233049.tif 000007
【図６】
2014233049.tif 000008
【図７】
2014233049.tif 000009
【図８】
2014233049.tif 000010
【図９】
2014233049.tif 000011